(57)【要約】【課題】パネルの落下防止を目的とする。【解決手段】天井にばねを介して取り付けるパネルであって、ばねを係止するばね係止挿入孔を備えたばね係止部と、ばね係止部を固定するばね係止部挿入孔を備えた連結部１６を備え、連結部１６が破損しても連結部１６の近傍にばね係止挿入孔の上方向より長い補助連結部１７ａ、１７ｂを設けることにより、パネルが落下することを抑制し、また連結部１６が異常をきたしていることを使用者に知らせるパネル構造が得られる。【選択図】図５
2008180410.tif 000002
【特許請求の範囲】
【請求項１】
天井にばねを介して取り付けるパネルにおいて、前記ばねを係止するばね係止挿入孔を備えたばね係止部と、前記パネルの裏面に、前記ばね係止部の横２側面方向に上方向の動きを固定する前記ばね係止部を挿入するばね係止部挿入孔を備えた連結部と、前記連結部の近傍に前記ばね係止部挿入孔の上方向より長い補助連結部とを設けたことを特徴とするパネル構造。
【請求項２】
補助連結部を、ばね係止部の横２側面に各々１個と縦１面に設け、前記ばね係止部を挿入することを特徴とする請求項１記載のパネル構造。
【請求項３】
補助連結部を、ばね係止部の横２側面のいずれか１面に１個と縦１面に設け、前記ばね係止部を挿入することを特徴とする請求項１記載のパネル構造。
【請求項４】
ばね係止部を、ばね係止部挿入孔と補助連結部に挿入される補助連結挿入部とからなるばね係止部Ａと、連結部のみ挿入されるばね係止部Ｂとからなることを特徴とする請求項１〜３のいずれかに記載のパネル構造。
【請求項５】
ばね係止部Ａとばね係止部Ｂを、ねじで固定することを特徴とする請求項４記載のパネル構造。
【請求項６】
ばね係止部と連結部とが、面接触することを特徴とする請求項１または４記載のパネル構造。
【請求項７】
パネル裏面に、前記パネルの内側への動きを防ぐ防止壁部を設けることを特徴とする請求項１記載のパネル構造。
【請求項８】
防止壁部を、補助連結部より高くしたことを特徴とする請求項６記載のパネル構造。
【請求項９】
薄肉構造である連結部と補助連結部と防止壁と補強リブを設けることを特徴とする請求項１〜８のいずれかに記載のパネル構造。
【請求項１０】
ばねは２又状で外方に開き勝手の開閉自在なことを特徴とする請求項１記載のパネル構造。
【請求項１１】
ばねの開閉自在となる支点をリング形状とすることを特徴とする請求項１または１０記載のパネル構造。
【請求項１２】
ばねの開閉自在となる支点をコイル形状とすることを特徴とする請求項１または１０記載のパネル構造。
【請求項１３】
防止壁部に接触するばね係止部Ｂの先端を折曲した形状にしたことを特徴とする請求項１〜７のいずれかに記載のパネル構造。
【発明の詳細な説明】
【技術分野】
【０００１】
本発明は、天井面に設置して室内の空調を行なう空気調和装置のパネル構造に関する。
【背景技術】
【０００２】
従来、この種のパネル構造の一例として、天井面に設置される換気装置のパネル構造が知られている（例えば、特許文献１参照）。
【０００３】
以下、その換気装置のパネル構造について、図７、図８を参照しながら説明する。
【０００４】
図に示すように、パネル１０１の裏面に橋架状に形成され横方向へ開通する挿通孔１０５を形成する橋架部１０３と、挿通孔１０５への挿通が可能で保持ばね１０２と連結される連結部１０６を形成した連結具１０４と、連結具１０４は架橋部１０３に形成された挿入孔１０５への挿入に伴い係合して連結具１０４の抜け止めを有する係止手段１０７によって構成しており、パネル１０１は保持ばね１０２によって天井を介して換気装置に取り付ける構成である。
【特許文献１】実用新案登録第２５３５３９９号公報
【発明の開示】
【発明が解決しようとする課題】
【０００５】
このような換気装置のパネル構造では、パネル１０１は、連結具１０４に係合される保持ばね１０２によって換気装置に取り付ける構成であるため、連結具１０４が橋架部１０３へ常時応力がかかることになり、応力あるいは薬品等の付着あるいは経年変化等によりクラックが発生しパネル１０１が落下する危険性があるという課題があり、パネル１０１が落下しない構造とすることが要求されている。
【０００６】
本発明は、このような従来の課題を解決するものであり、クラック等によるパネル１０１の脱落を抑制するパネル構造を提供することを目的としている。
【課題を解決するための手段】
【０００７】
本発明のパネル構造は、上記目的を達成するために、天井にばねを介して取り付けるパネルにおいて、前記ばねを係止するばね係止挿入孔を備えたばね係止部と、前記パネルの裏面に、前記ばね係止部の横２側面方向に上方向の動きを固定する前記ばね係止部を挿入するばね係止部挿入孔を備えた連結部と、前記連結部の近傍に前記ばね係止部挿入孔の上方向より長い補助連結部とを設けたものである。
【０００８】
この手段により、連結部がクラック等により破損しても補助連結部によりパネルを受けとめることができるパネル構造が得られる。
【０００９】
また、他の手段は、補助連結部を、ばね係止部の横２側面に各々１個と縦１面に設け、前記ばね係止部を挿入するものである。
【００１０】
この手段により、連結部がクラック等により破損しても補助連結部にばね係止部が引っ掛かり、３点で保持できるパネル構造が得られる。
【００１１】
また、他の手段は、補助連結部を、ばね係止部の横２側面のいずれか１面に１個と縦１面に設け、前記ばね係止部を挿入するものである。
【００１２】
この手段により、連結部がクラック等により破損しても補助連結部にばね係止部が引っ掛かり、２点で保持できるパネル構造が得られる。
【００１３】
また、他の手段は、ばね係止部を、ばね係止部挿入孔と補助連結部に挿入される補助連結挿入部とからなるばね係止部Ａと、連結部のみ挿入されるばね係止部Ｂとからなるものである。
【００１４】
この手段により、ばね係止部Ａとばね係止部Ｂを各々、連結部と補助連結部に挿入でき、連結部と連結補助部から外れないパネル構造が得られる。
【００１５】
また、他の手段は、ばね係止部Ａとばね係止部Ｂを、ねじで固定するものである。
【００１６】
この手段により、メンテナンス時に取り付け、取り外しが容易にできるパネル構造が得られる。
【００１７】
また、他の手段は、ばね係止部と連結部とが、面接触するものである。
【００１８】
この手段により、連結部にかかるばね係止部の引っ張り応力が分散されるパネル構造が得られる。
【００１９】
また、他の手段は、パネル裏面に、パネルの内側への動きを防ぐ防止壁部を設けたものである。
【００２０】
この手段により、連結部からばね係止部が外れにくいパネル構造が得られる。
【００２１】
また、他の手段は、防止壁部を、補助連結部より高くしたものである。
【００２２】
この手段により、さらに連結部からばね係止部が外れにくいパネル構造が得られる。
【００２３】
また、他の手段は、連結部と補助連結部と防止壁が薄肉構造であり、補強リブを設けたものである。
【００２４】
この手段により、強度を確保しながら、パネル表面にひけ等が出にくいパネル構造が得られる。
【００２５】
また、他の手段は、ばねが２又状で外方に開き勝手の開閉自在であるものである。
【００２６】
この手段により、パネル固定が容易なパネル構造が得られる。
【００２７】
また、他の手段は、ばねの開閉自在となる支点がリング形状としたものである。
【００２８】
この手段により、ばねの取り付け可動範囲が広くなる構造が得られる。
【００２９】
また、他の手段は、ばねの開閉自在となる支点をコイル形状としたものである。
【００３０】
この手段により、ばねをパネルに密着して取り付けることができるパネル構造が得られる。
【００３１】
また、他の手段は、ばね防止壁部に接触するばね係止部Ｂの先端を折曲した形状としたものである。
【００３２】
この手段により、連結部が破損しても防止壁部に沿ってスムーズに稼動する構造が得られる。
【発明の効果】
【００３３】
本発明によれば、パネルの連結部が破損してもパネルが落下しないという効果のあるパネル構造を提供できる。
【００３４】
また、連結部が破損した場合に、補助連結部にてばね係止部を受けとめ、天井とパネルの間に隙間ができるため、使用者がパネルの異常を容易に認識することができ、パネル落下によるけが等を抑制することができる効果のあるパネル構造を提供できる。
【００３５】
また、ばね係止部を２部品構成とし、各々連結部と補助連結部に挿入できるので、ばね係止部が連結部と補助連結部からはずれなくする効果のあるパネル構造を提供できる。
【００３６】
また、２部品構成としたばね係止部を、ネジにて固定することによりメンテナンス時に取つ付け取り外しが容易にできるという効果のあるパネル構造を提供できる。
【００３７】
また、ばね係止部と連結部が面接触するので、引っ張り応力が分散され、連結部の破損が発生しにくいという効果のあるパネル構造を提供できる。
【００３８】
また、連結部が破損した場合にばね係止部が補助連結部に引っ掛かると同時に防止壁部にも接触するので、ばね係止部の可動範囲が狭くなり、補助連結部からばね係止部が外れにくいという効果のあるパネル構造を提供できる。
【００３９】
また、連結部と補助連結部と防止壁部が薄肉構造であり、補強リブを追加して強度を確保するので、パネル表面に成型によるひけ等が出にくい意匠性の向上を図る効果のあるパネル構造が提供できる。
【００４０】
また、パネルの天井等への取り付けが容易にでき、またパネル取り付け時にネジ締めがいらないため特別な工具を必要としないという効果のあるパネル構造を提供できる。
【００４１】
また、パネル据付手段が可動なため、パネル取り付け時にパネルを移動させながら取り付けることができ、パネル取り付け作業の自由度が増すことによる施工が容易になるという効果のあるパネル構造を提供できる。
【００４２】
また、ばねをパネルに密着して取り付けられることにより、パネルと天井を確実に密着して取り付けられるという効果のあるパネル構造を提供できる。
【００４３】
また、防止壁部に接触する係止部の先端を折曲して防止壁部に沿って移動するため、連結部が破損しても防止壁部を沿ってスムーズに稼動する効果のあるパネル構造を提供できる。
【発明を実施するための最良の形態】
【００４４】
本発明の請求項１記載のパネル構造は、天井にばねを介して取り付けるパネルにおいて、前記ばねを係止するばね係止挿入孔を備えたばね係止部と、前記パネルの裏面に、前記ばね係止部の横２側面方向に上方向の動きを固定する前記ばね係止部を挿入するばね係止部挿入孔を備えた連結部と、前記連結部の近傍に前記ばね係止部挿入孔の上方向より長い補助連結部とを設けたものであり、パネルの連結部が破損してもばね係止部が補助連結部に引っ掛かりパネルの落下を阻止することができるという作用を有する。
【００４５】
また、補助連結部を、ばね係止部の横２側面に各々１個と縦１面に設け、前記ばね係止部を挿入するものであり、連結部が破損して、補助連結部にばね係止部が引っ掛かり、３点で保持されるという作用を有する。
【００４６】
また、補助連結部を、ばね係止部の横２側面のいずれか１面に１個と縦１面に設け、前記ばね係止部を挿入するものであり、連結部が破損して、補助連結部にばね係止部が引っ掛かり、２点で保持されるという作用を有する。
【００４７】
また、ばね係止部を、ばね係止部挿入孔と補助連結部に挿入される補助連結挿入部とからなるばね係止部Ａと、連結部のみ挿入されるばね係止部Ｂを形成したものであり、ばね係止部Ａとばね係止部Ｂを各々、連結部と補助連結部に挿入することによりばね係止部が、連結部と補助連結部から外れないという作用を有する。
【００４８】
また、ばね係止部Ａとばね係止部Ｂを、ねじで固定したものであり、ばね係止部Ａとばね係止部Ｂを各々、連結部と補助連結部に挿入し、ねじで固定させることにより、メンテナンス時に取り付け、取り外しが容易にできるという作用を有する。
【００４９】
また、ばね係止部と連結部とが、面接触するものであり、ばね係止部の引っ張り応力が、面接触により分散され、連結部の破損が少なくなるという作用を有する。
【００５０】
また、パネル裏面に、前記パネルの内側への動きを防ぐ防止壁部を形成したものであり、ばね係止部が補助連結部に引っ掛かると同時に、防止壁部にも接触し、ばね係止部の可動範囲が狭くなり、連連部からばね係止部がはずれにくくすることができる作用を有する。
【００５１】
また、防止壁部を、補助連結部より高くするものであり、ばね係止部の可動範囲が狭くなり、連結部からばね係止部がさらにはずれにくくすることができる作用を有する。
【００５２】
また、薄肉構造である連結部と補助連結部と防止壁と補強リブを形成したものであり、薄肉部を補強リブにて強度を確保し、パネル表面にひけ等が出にくいため、意匠性が向上できるという作用を有する。
【００５３】
また、ばねは２又状で外方に開き勝手の開閉自在なものであり、パネルの天井等への取り付けが容易にでき、パネル取り付け時にネジ締めがいらないため特別な工具を必要とせずにパネルの取り付けることができるという作用を有する。
【００５４】
また、ばねの開閉自在となる支点はリング形状とするものであり、リング形状をばね係止部のばね係止挿入孔へ引っ掛けることにより、ばねの取り付け可動範囲が広くなり、微調整が容易にできるという作用を有する。
【００５５】
また、ばねの開閉自在となる支点をコイル形状とするものであり、ばねの開閉自在となる支点はコイル形状とするものであり、コイル形状をばね係止部のばね係止挿入孔へ引っ掛けるという作用を有する。
【００５６】
また、防止壁部に接触するばね係止部Ｂの先端を折曲した形状であり、折曲部が防止壁部に沿って移動することにより、連結部が破損しても防止壁部に沿ってスムーズに可動するという作用を有する。
【００５７】
以下、本発明の実施の形態について、図面を参照しながら説明する。
【００５８】
（実施の形態１）
図１、図２に示すように、天井裏内に納められるように設置された室内側を開口した箱状の本体１の側面に、給気用吸い込み口２および排気用吹き出し口３を有し、それぞれダクト接続部３０ａ、３０ｂを介してダクト３１ａ、３１ｂと接続されて屋外と連通される。本体１内部には給気用ファン４を有する給気用ケーシング６の給気用ケーシング吸い込み口８および排気用ファン５を有する排気用ケーシング７の排気用ケーシング吸い込み口９を介して本体１の側面の給気用吸い込み口２および排気用吹き出し口３に連通する給気経路３２および排気経路３３を形成し、給気経路３２と排気経路３３の交差位置に水分と熱を交換する熱交換板を多数積層して形成された熱交換器１０を配し、本体１の室内側の開口には排気用吸い込み口１１と給気用吹き出し口１２を有するパネル１３を設ける。
【００５９】
また、図３〜図６に示すように、パネル１３の裏面には、本体１に取り付けられるように、２又状で外方に開き勝手の開閉自在なパネル据付手段であるばね１４を介して、ばね１４の開き勝手の弾性力で係合する孔状の係合部１５を設け、ばね１４の弾力性によりパネル１３は本体１に保持される。パネル１３の重心をとる位置の２箇所にパネル基準平面３５に対称となるそれぞれ２個の連結部１６とパネル基準平面３５上でパネル側面に補助連結部１７ａを備え、補助連結部１７ａから連結部１６を挟み込む位置に補助連結部１７ｂを備え、補助連結部１７ｂの近傍に防止壁１８を備えている。
【００６０】
また、ばね係止部１９はばね係止挿入孔２０を備え、一方の先端２１にネジ固定用穴２２を形成し、その両端が折曲され、またもう一方の先端は補助連結部１７ａに挿入される補助連結挿入部２３とからなるばね係止部Ａ１９ａと、両端の先端部が開放端２４であり連結部１６に挿入され、もう一方の先端部２５にねじ固定用ボス２６を備え、さらに折曲した先端２７を形成したばね係止部Ｂ１９ｂとで構成され、ばね係止部Ａ１９ａとばね係止部Ｂ１９ｂはねじ２９にて固定される。
【００６１】
上記構成において、空気調和装置の本体１を天井裏内に納められるように設置したのち、本体１にパネル１３をパネル１３に設けたばね１４と本体１の係合部１５との係合により、天井面に設置する。機器を運転すると排気用ファン５が回転し、排気用吸い込み口１１から室内の熱気を含む空気が吸引され排気経路を通って熱交換器１０に入り熱分を蓄積され屋外へ排出される。同時に屋外から空気が給気され給気経路をとおり熱交換器１０に入って蓄積された熱分を回収し、給気用吹出し口１２より室内に取り入れられる。
【００６２】
このように、パネル１３の裏面に、ばねの係合部１５の横２側面方向に上方向の動きを固定する前記ばね係止部を挿入するばね係止部挿入孔を備えた連結部１６と、連結部１６の近傍にばね係止部挿入孔の上方向より長い補助連結部１７ａ、１７ｂを備えることにより、ばね１４の弾性力あるいは薬品等の付着あるいは経年変化等により連結部１６にクラック等が入り欠損した場合でも、ばね係止部１９は補助連結部１７ａ、１７ｂにより形成された空間に納まり落下しないこととなる。
【００６３】
また、連結部１６破損後、ばね係止部１９は補助連結部１７ａ、１７ｂに保持されパネル１３と天井面との間に隙間が出来た状態で保持されることとなり、使用者が容易にパネル１３の異常に気づくこととなる。このためその後の経年変化等で連結部１６が破損しパネル１３が落下することにより、けが等の重大な事故を未然に防げることとなる。
【００６４】
また、ばね係止部１９が、補助連結部１７ａ、１７ｂに挿入されるばね係止部Ａ１９ａと、連結部１６にのみ挿入されるばね係止部Ｂ１９ｂから構成され、ばね係止部Ａ１９ａとばね係止部Ｂ１９ｂがねじ２９にて固定されているため、ばね係止部１９が連結部１６と補助連結部１７ａ、１７ｂから外れなくなると同時に、取り付け取り外しが容易でありメンテナンス性が向上する。
【００６５】
また、ばね係止部１９とばね１４の開き勝手の弾性力によるばね係止部１９の上方向の動きを固定する連結部１６とが面接触することにより、連結部１６にかかる応力が均一に分散され連結部１６の破損が少なくなる。
【００６６】
また、ばね係止部１９の内側への動きを防ぐ防止壁１８を設けることにより連結部１６破損後はばね係止部１９の可動範囲が狭くなり補助連結部１７ａ、１７ｂからばね係止部１９が外れにくくなり、パネル１３が落下しないこととなる。
【００６７】
また、ばね係止部Ｂ１９ｂ先端２６を折曲した形状であり、防止壁１８に沿って上方向へスムーズに移動することが出来るため、連結部１６は補助連結部１７ａ、１７ｂにより形成された空間を上方に向かって移動し、パネル１３と天井面との間に確実に隙間を形成する。
【００６８】
また、２又状で外方に開き勝手の開閉自在なばね１４は２又形状の支点である箇所にリング形状を有しており、ばね係止挿入孔２０に貫通しているため、ばね係止挿入孔２０に沿って自在に動くことができ、ばね１４の取り付け稼動範囲が広くなり、ばね１４の取り付けと微調整が容易に出来る。
【００６９】
また、支点をコイル形状に有すると、コイル形状部分がばね係止挿入孔２０に貫通された場合、コイル形状の最下部から２又がでるようになるので、ばね１４をパネル１３に密着して取り付けることができ、更に、ばね１４の開き勝手の弾性力もコイル形状により強化することができるので、パネル１３と本体１の保持を強化することができる。
【００７０】
また、連結部１６と補助連結部１７ａ、１７ｂと防止壁１８は薄肉構造であり、それぞれに補強リブ２８ａ、２８ｂ、２８ｃ、２８ｄ、２８ｅを形成することにより、強度を確保しつつパネル１３表面にひけ等が出にくくなるため、意匠性を向上できる。
【産業上の利用可能性】
【００７１】
広く空調で使用されている天井取り付け形の換気扇、天井取り付け形のエアコンの用途にも適用できる。
【図面の簡単な説明】
【００７２】
【図１】本発明実施の形態１のパネル構造と空気調和装置との関係を示す斜視図
【図２】同パネル構造の空気調和装置の構成図
【図３】同パネル構造の設置状態を示す要部構成図
【図４】同パネル構造を示す斜視図
【図５】同パネル構造の示す要部斜視図
【図６】同パネル構造のばね係止部を示す斜視図
【図７】従来のパネル構造を示す構成図
【図８】同パネル構造を示す斜視図
【符号の説明】
【００７３】
１      本体
２      給気用吸い込み口
３      排気用吹き出し口
４      給気用ファン
５      排気用ファン
６      給気用ケーシング
７      排気用ケーシング
８      給気用ケーシング吸い込み口
９      排気用ケーシング吸い込み口
１０    熱交換器
１１    排気用吸い込み口
１２    給気用吹き出し口
１３    パネル
１４    ばね
１５    係合部
１６    連結部
１７ａ  補助連結部
１７ｂ  補助連結部
１８    防止壁
１９    ばね係止部
２９    ねじ
３５    パネル基準平面
【図１】
2008180410.tif 000003
【図２】
2008180410.tif 000004
【図３】
2008180410.tif 000005
【図４】
2008180410.tif 000006
【図５】
2008180410.tif 000007
【図６】
2008180410.tif 000008
【図７】
2008180410.tif 000009
【図８】
2008180410.tif 000010